(57)【特許請求の範囲】
【請求項１】
表示手段と、
音場支援装置に内蔵される各回路を示すボタンをそれらの回路へのパラメータの設定順の通りに並べた設定手順案内画面を前記表示手段に表示させる基本画面表示制御手段と、
前記回路が選択されたことを検出し、選択された回路へのパラメータの設定を支援する設定支援画面を前記表示手段に表示させ、当該設定支援画面を前記表示手段に表示させている間に、前記選択された回路へ設定するパラメータの内容を決める操作が行われたことを検出し、その操作に応じて生成したパラメータを前記音場支援装置へ送信するパラメータ設定支援制御手段と
を具備することを特徴とする音場支援装置のパラメータ設定装置。
【請求項２】
前記音場支援装置は、
音響空間から収音した音の信号にインパルス応答を畳み込む回路であるフィルタと、前記インパルス応答が畳み込まれた信号にイコライジングを施す回路である第１のイコライザと、前記第１のイコライザによりイコライジングが施された信号にイコライジングを施す回路である第２のイコライザとを有し、
前記基本画面表示制御手段は、
前記第２のイコライザを示すボタンの次に前記フィルタを示すボタンを並べ、当該フィルタを示すボタンの次に前記第１のイコライザを示すボタンを並べた画面を前記設定手順案内画面として前記表示手段に表示させる
ことを特徴とする請求項１に記載のパラメータ設定装置。
【請求項３】
前記音場支援装置は、
音響空間から収音した音の信号である収音信号を遅延させた遅延オーディオ信号を発生し、発生した遅延オーディオ信号と一連の係数とを畳み込み演算した演算結果を出力するフィルタを有し、
前記パラメータ設定支援制御手段は、
一連の係数とそれらの係数を畳み込み演算する遅延オーディオ信号の前記収音信号からの遅延時間を示すパラメータとを記憶手段に記憶させるとともに、前記パラメータが示す各係数の大きさとそれらの係数を畳み込み演算する遅延オーディオ信号の前記収音信号からの遅延時間の長さとを示す各係数毎の表示体を配したインパルス応答画面を前記表示手段に表示させ、前記インパルス応答画面を前記表示手段に表示させている間に、前記各係数の大きさ、または、前記遅延時間の長さを調整する操作が行われたことを検出し、検出した操作に応じて前記記憶手段に記憶されたパラメータを変更し、変更後のパラメータを前記音場支援装置へ送信する
ことを特徴とする請求項１に記載のパラメータ設定装置。
【請求項４】
コンピュータに、
音場支援装置に内蔵される各回路を示すボタンをそれらの回路へのパラメータの設定順の通りに並べた設定手順案内画面を表示手段に表示させる基本画面表示制御手段と、
前記回路が選択されたことを検出し、選択された回路へのパラメータの設定を支援する設定支援画面を前記表示手段に表示させ、当該設定支援画面を前記表示手段に表示させている間に、前記選択された回路へ設定するパラメータの内容を決める操作が行われたことを検出し、その操作に応じて生成したパラメータを前記音場支援装置へ送信するパラメータ設定支援制御手段と
を実現させるプログラム。
【発明の詳細な説明】
【技術分野】
【０００１】
本発明は、音場支援装置に内蔵される各種回路へのパラメータの設定を行うパラメータ設定装置およびそのプログラムに関する。
【背景技術】
【０００２】
音響空間における既存の音響環境をベースとし、その音響空間における残響効果を増強する音場支援装置がある。この音場支援装置は、音響空間内に備え付けたマイクロホンから収音信号が入力されると、ＦＩＲフィルタによってその収音信号へフィルタ係数列を畳み込み、この畳み込みを経た信号をスピーカから音響空間へ放音する、という処理を繰り返す。この、音響空間→マイクロホン→ＦＩＲフィルタ→スピーカ→音響空間という音響帰還ループを循環する音へ畳み込むフィルタ係数列の如何によっては、狭小な音響空間でありながらあたかもコンサートホールなどの大きな音響空間で演奏しているかのような残響効果を創出することができる。この音場支援装置における処理の内容は、たとえば、特許文献１〜４に開示されている。
【特許文献１】特開平１０−０６９２８０号公報
【特許文献２】特開２００３−２１６１６５号公報
【特許文献３】特開平０６−２８４４９３号公報
【特許文献４】特開平０７−２４０９９３号公報
【発明の開示】
【発明が解決しようとする課題】
【０００３】
ところで、音場支援装置の多くは、音響帰還ループにおける音響環境を好適化する役割を果たすアンプやイコライザなどの各種回路を、ＦＩＲフィルタの前後に配した複雑な構成になっている。よって、音場支援装置の設定作業に慣れていない者は、ＦＩＲフィルタのフィルタ係数列やその前後の回路の処理を決定づけるパラメータのすべてを設定し終えるのに大きな手間がかかるという問題があった。
本発明は、このような背景の下に案出されたものであり、音場支援装置に内蔵されている回路へのパラメータの設定を効率よく行うための仕組みを提供することを目的とする。
【課題を解決するための手段】
【０００４】
本発明は、表示手段と、音場支援装置に内蔵される各回路を示すボタンをそれらの回路へのパラメータの設定順の通りに並べた設定手順案内画面を前記表示手段に表示させる基本画面表示制御手段と、前記回路が選択されたことを検出し、選択された回路へのパラメータの設定を支援する設定支援画面を前記表示手段に表示させ、当該設定支援画面を前記表示手段に表示させている間に、前記選択された回路へ設定するパラメータの内容を決める操作が行われたことを検出し、その操作に応じて生成したパラメータを前記音場支援装置へ送信するパラメータ設定支援制御手段とを備える設定装置を提供する。
この発明によると、音場支援装置に内蔵される各回路を示すボタンをそれらの回路へのパラメータの設定順の通りに並べた設定手順案内画面が表示手段に表示される。よって、音場支援装置の設定作業を行う者は、この設定手順案内画面に表示される回路をその並びの通りに１つずつ選択し、各々の選択により表示手段に表示される設定支援画面においてパラメータの内容を決める操作を行っていくことにより、音場支援装置を稼働させるために必要なすべてのパラメータの設定を効率よく終えることができる。
【発明を実施するための最良の形態】
【０００５】
（第１実施形態）
以下、図面を参照し、この発明の第１実施形態を説明する。
図１は、この発明の一実施形態である設定装置を含む音場支援システムの全体構成を示す図である。この音場支援システムは、マイクロホン２−ｋ（ｋ＝１〜８）、スピーカ３−ｍ（ｍ＝１〜１６）、音場支援装置２０、および設定装置たるコンピュータ１０を有する。
コンピュータ１０と音場支援装置２０は、制御信号インターフェース（「制御信号Ｉ／Ｆ」と記す）１１，２１、オーディオ信号インターフェース（「オーディオ信号Ｉ／Ｆ」と記す）１２，２２をそれぞれ有しており、制御信号Ｉ／Ｆ１１，２１同士がＬＡＮ（Local Area Network）ケーブルにより接続され、オーディオ信号Ｉ／Ｆ１２，２２同士がオーディオケーブルにより接続される。
【０００６】
音場支援装置２０は、マイクロホン２−ｋ（ｋ＝１〜８）によって音響空間１から収音された音の信号が収音信号として入力されると、その収音信号に所望の音響空間（「目標音響空間」という）のインパルス応答を畳み込み、インパルス応答を畳み込んだ信号（適宜「残響音信号」という）をスピーカ３−ｍ（ｍ＝１〜１６）へ出力し、その残響音信号をスピーカ３−ｍ（ｍ＝１〜１６）から音響空間１へ音として放音させる。この一連の音の循環により、音響空間１→マイクロホン２−ｋ（ｋ＝１〜８）→音場支援装置２０→スピーカ３−ｍ（ｍ＝１〜１６）→音響空間１という音響帰還ループが形成され、音響空間１において目標音響空間と同等の音場感（残響感、音量感、空間感等）を創出し得る。
【０００７】
音場支援装置２０は、目標音響空間のインパルス応答を収音信号に畳み込む役割を果たすＦＩＲフィルタ２９−ｈ（ｈ＝１〜４）のほか、音響帰還ループを形成した場合における音響空間１内の音響環境を好適化するための処理を行う各種回路を有している。
具体的に説明すると、ＦＩＲフィルタ２９−ｈ（ｈ＝１〜４）の前段には、アンプ部２３、Ａ／Ｄ変換器（不図示）、スイッチ２４、ＥＭＲ（Electronic Microphone Rotator）２５、スイッチ２７−ｈ（ｈ＝１〜４）、および加算器２８−ｈ（ｈ＝１〜４）が設けられている。アンプ部２３は、マイクロホン２−ｋ（ｋ＝１〜８）から入力されるアナログ形式の８チャネルの収音信号を増幅する回路である。Ａ／Ｄ変換器（不図示）は、アンプ部２３により増幅された収音信号をアナログ形式からデジタル形式に変換する回路である。スイッチ２４は、Ａ／Ｄ変換器（不図示）を介してアンプ部２３に繋がる８チャネル分の信号線LIN−ｕ（ｕ＝１〜８）とＥＭＲ２５に繋がる４チャネル分の信号線LIN−ｈ（ｈ＝１〜４）とを接続する回路である。ＥＭＲ２５は、スイッチ２４に繋がる信号線LIN−ｈ（ｈ＝１〜４）とスイッチ２７−ｈ（ｈ＝１〜４）の各々に繋がる信号線LIN−ｈ（ｈ＝１〜４）との間の一対一の接続の組み合わせを周期的に切り換える回路である。この切り換えにより、ＥＭＲ２５は、スピーカ３−ｍ（ｍ＝１〜１６）からマイクロホン２−ｋ（ｋ＝１〜８）に至る音響空間１内の各伝播経路の長さと伝送特性を実効的に変化させることとなり、ハウリングやカラーリングなどの発生を防ぐ役割を果たす。
【０００８】
ＦＩＲフィルタ２９−ｈ（ｈ＝１〜４）の後段には、ＰＥＱ（Parametric Equalizer）３０−ｈ（ｈ＝１〜４）、スイッチ３１、ＰＥＱ３２−ｖ（ｖ＝１〜１６）、Ｄ／Ａ変換器（不図示）、アンプ部３４が設けられている。ＰＥＱ３０−ｈ（ｈ＝１〜４）は、ＦＩＲフィルタ２９−ｈから当該ＰＥＱ３０−ｈに入力される入力信号に最大８バンドの個別のイコライジングを施す回路である。スイッチ３１は、ＰＥＱ３０−ｈ（ｈ＝１〜４）に繋がる４チャネル分の信号線LIN−ｈ（ｈ＝１〜４）とＰＥＱ３２−ｖ（ｖ＝１〜１６）に繋がる１６チャネル分の信号線LIN−ｖ（ｖ＝１〜１６）とを接続する回路である。ＰＥＱ３２−ｖ（ｖ＝１〜１６）は、スイッチ３１から当該ＰＥＱ３２−ｖに入力される入力信号に最大８バンドの個別のイコライジングを施す回路である。Ｄ／Ａ変換器（不図示）は、ＰＥＱ３２−ｖ（ｖ＝１〜１６）によるイコライジングを経た信号をデジタル形式からアナログ形式に変換する回路である。アンプ部３４は、Ｄ／Ａ変換器（不図示）によって変換されたアナログ形式の信号を増幅してスピーカ３−ｍ（ｍ＝１〜１６）へ出力する回路である。
ここで、ＰＥＱ３０−ｈ（ｈ＝１〜４）とＰＥＱ３２−ｖ（ｖ＝１〜１６）は、音響帰還ループの伝達関数の振幅特性をフラットにする役割を果たす回路である。振幅特性がフラットであるとは、その振幅特性における相対レベルの最大値と平均値との差が十分に小さいことを意味する。
【０００９】
以上説明した各回路には、以下に示すパラメータの設定を要し、各回路による処理の内容は、各々に設定されたパラメータに依存する。
ａ．入力側相対レベルパラメータPINAMP−ｕ（ｕ＝１〜８：以下、「パラメータPINAMP−ｕ（ｕ＝１〜８）」）
これは、アンプ部２３への設定を要するパラメータである。パラメータPINAMP−ｕ（ｕ＝１〜８）は、アンプ部２３における８チャネルの入力信号INSIGINAMP−ｕ（ｕ＝１〜８）とそれらの各々の出力信号OUTSIGINAMP−ｕ（ｕ＝１〜８）とのレベル比を示す。
ｂ．出力側相対レベルパラメータPOUTAMP−ｖ（ｖ＝１〜１６：以下、「パラメータPOUTAMP−ｖ（ｖ＝１〜１６）」）
これは、アンプ部３４への設定を要するパラメータである。パラメータPOUTAMP−ｖ（ｖ＝１〜１６）は、アンプ部３４における１６チャネルの入力信号INSIGOUTAMP−ｖ（ｖ＝１〜１６）とそれらの各々の出力信号OUTSIGOUTAMP−ｖ（ｖ＝１〜１６）とのレベル比を示す。
ｃ．切り換え周期パラメータPEMR（以下、「パラメータPEMR」）
これは、ＥＭＲ２５への設定を要するパラメータである。このパラメータPEMRは、ＥＭＲ２５の入力側に繋がる信号線LIN−ｈ（ｈ＝１〜４）の各々とその出力側に繋がる信号線LIN−ｈ（ｈ＝１〜４）の各々との接続の切り換えの周期を示す。
ｄ．音場パラメータPECHO−ｈ（ｈ＝１〜４：以下、「パラメータPECHO−ｈ（ｈ＝１〜４）」）
これは、ＦＩＲフィルタ２９−ｈ（ｈ＝１〜４）への設定を要するパラメータである。パラメータPECHO−ｈ（ｈ＝１〜４）は、インパルス応答を示すパラメータ、より詳細には、ＦＩＲフィルタ２９−ｈ（ｈ＝１〜４）における入力信号INSIGECHO−ｈ（ｈ＝１〜４）の遅延時間ｔｊ（ｊ＝１，２…ｉ）と、それらの遅延時間だけ入力信号 INSIGECHO−ｈ（ｈ＝１〜４）を遅延させた遅延信号にそれぞれ畳み込み演算するフィルタ係数ｈｊ（ｊ＝１，２…ｉ）の各対を示す。
【００１０】
ｅ．ＰＥＱパラメータPPEQFOW−ｈ（ｈ＝１〜４：以下、「パラメータPPEQFOW−ｈ（ｈ＝１〜４）」）およびＰＥＱパラメータPPEQBACK−ｖ（ｖ＝１〜１６：以下、「パラメータPPEQBACK−ｖ（ｖ＝１〜１６）」）
これは、ＰＥＱ３０−ｈ（ｈ＝１〜４），３２−ｖ（ｖ＝１〜１６）への設定を要するパラメータである。パラメータPPEQFOW−ｈ（ｈ＝１〜４）は、ＰＥＱ３０−ｈ（ｈ＝１〜４）の第１〜第８の各バンドにおける、Ｑ値ｑ−ｕ（ｕ＝１〜８）、周波数ｆ−ｕ（ｕ＝１〜８）、ゲインｇ−ｕ（ｕ＝１〜８）を示し、パラメータPPEQBACK−ｖ（ｖ＝１〜１６）は、ＰＥＱ３２−ｖの第１〜第８の各バンドにおける、Ｑ値ｑ−ｕ（ｕ＝１〜８）、周波数ｆ−ｕ（ｕ＝１〜８）、ゲインｇ−ｕ（ｕ＝１〜８）を示す。ここで、上述したように、ＰＥＱ３０−ｈ（ｈ＝１〜４）とＰＥＱ３２−ｖ（ｖ＝１〜１６）は、音響帰還ループの伝達関数の振幅特性をフラットにする役割を果たす回路であるが、これらのＰＥＱ３０−ｈ（ｈ＝１〜４），３２−ｖ（ｖ＝１〜１６）におけるパラメータの設定は、ＦＩＲフィルタ２９−ｈ（ｈ＝１〜４）、ＰＥＱ３０−ｈ（ｈ＝１〜４）をバイパスしてスルーさせた場合における前記音響帰還ループの伝達関数の振幅特性をフラットにするようなパラメータPPEQBACK−ｖ（ｖ＝１〜１６）をＰＥＱ３２−ｖ（ｖ＝１〜１６）に設定してから、ＦＩＲフィルタ２９−ｈ（ｈ＝１〜４）に目標音場空間のパラメータPECHO−ｈ（ｈ＝１〜４）を設定し、さらにこのパラメータPECHO−ｈ（ｈ＝１〜４）の伝達関数の振幅特性を含めた、前記音響帰還ループの伝達関数の振幅特性をフラットにするようなパラメータPPEQFOW−ｈ（ｈ＝１〜４）をＰＥＱ３０−ｈ（ｈ＝１〜４）に設定する、という手順を踏んで行うことが望ましい。このような設定を行っておけば、以後、ＦＩＲフィルタ２９−ｈ（ｈ＝１〜４）のパラメータPECHO−ｈ（ｈ＝１〜４）を別の目標音場空間をものに置き換える際に、ＰＥＱ３０−ｈ（ｈ＝１〜４）のパラメータPPEQFOW−ｈ（ｈ＝１〜４）だけをその置き換え後のパラメータPECHO−ｈ（ｈ＝１〜４）の伝達関数に応じて再設定するだけで済み、音場支援装置２０のパラメータの設定が効率よくできるからである。また、ＰＥＱ３０−ｈ（ｈ＝１〜４）はＦＩＲフィルタ２９−ｈ（ｈ＝１〜４）側の各出力チャネルに１対１で接続され、ＰＥＱ３２−ｖ（ｖ＝１〜１６）はスピーカ３−ｍ（ｍ＝１〜１６）側の各入力チャネルに1対１で接続されているため、ＦＩＲフィルタ２９−ｈ（ｈ＝１〜４）の伝達関数の振幅特性をフラットにする役割をＰＥＱ３０−ｈ（ｈ＝１〜４）に与え、スピーカ３−ｍ（ｍ＝１〜１６）の伝達関数の振幅特性をフラットにする役割をＰＥＱ３２−ｖ（ｖ＝１〜１６）に与える、というように、各々の役割分担を決めた上で、ＰＥＱ３０−ｈ（ｈ＝１〜４）およびＰＥＱ３２−ｖ（ｖ＝１〜１６）の設定状態を管理することが多い。このようなＰＥＱ３０−ｈ（ｈ＝１〜４），ＰＥＱ３２−ｖ（ｖ＝１〜１６）の利用の仕方をする場合においても、上述した手順を踏んでパラメータの設定を行うことは都合がよい。
本実施形態におけるコンピュータ１０は、音場支援装置２０の設定を行う者（「設定者」という）に、このような手順に従ったパラメータの設定を行うことを促す設定手順案内画面を提示する。詳しくは、後述する。
ｆ．入力側チャネル割当パラメータPINCH（以下、「パラメータPINCH」）
これは、スイッチ２４への設定を要するパラメータである。このパラメータPINCHは、スイッチ２４の入力側に繋がる信号線LIN−ｕ（ｕ＝１〜８）とその出力側に繋がる信号線LIN−ｈ（ｈ＝１〜４）の結線の組み合わせを示す。
ｇ．出力側チャネル割当パラメータPOUTCH（以下、「パラメータPOUTCH」）
これは、スイッチ３１への設定を要するパラメータである。このパラメータPOUTCHは、スイッチ３１の入力側に繋がる信号線LIN−ｈ（ｈ＝１〜４）とその出力側に繋がる信号線LIN−ｖ（ｖ＝１〜１６）の結線の組み合わせを示す。
以上の７種類のパラメータは、コンピュータ１０によって音場支援装置２０の該当の回路へ設定される。詳しくは、後述する。
【００１１】
制御部３５は、以下に示す６つの処理を実行する。
１つ目は、スイッチ２７−ｈ（ｈ＝１〜４）の「オン」から「オフ」または「オフ」から「オン」への切り換えを指示する制御信号（「スイッチ切換制御信号」という）を制御信号Ｉ／Ｆ２１を介して受信した場合に、その制御信号が示すスイッチ２７−ｈを切り換える処理である。
２つ目は、テスト音であるピンクノイズの信号（「テスト信号」という）の加算器２８−ｈ（ｈ＝１〜４）への出力を指示する制御信号（「テスト音出力制御信号」という）を制御信号Ｉ／Ｆ２１を介して受信した場合に、その制御信号が示す加算器２８−ｈ（ｈ＝１〜４）へテスト信号を出力する処理である。ここで、このテスト信号は、制御部３５に内蔵されるノイズジェネレータ（不図示）により発生し、その出力レベルは当該音場支援装置２０の操作子（不図示）やコンピュータ１０から入力する制御信号によって調整し得る。
３つ目は、加算器２８−ｈ（ｈ＝１〜４）へ出力するテスト信号の出力レベルを測定し、その測定値を示す信号（「テスト測定値信号」という）を制御信号Ｉ／Ｆ２１から送信する処理である。
４つ目は、信号採取点２６−ｈ（ｈ＝１〜４），３３−ｖ（ｖ＝１〜１６）からの信号の採取を指示する制御信号（「信号採取制御信号」という）を制御信号Ｉ／Ｆ２１を介して受信した場合に、その制御信号が示す信号採取点２６−ｈ（ｈ＝１〜４），３３−ｖ（ｖ＝１〜１６）から信号を採取し、採取した信号を音響空間１における応答音の信号（「応答信号」という）としてオーディオ信号Ｉ／Ｆ２２から出力する処理である。
５つ目は、アンプ部２３における出力信号OUTSIGINAMP−ｕ（ｕ＝１〜８）の出力レベルおよびアンプ部３４における出力信号OUTSIGOUTAMP−ｖ（ｖ＝１〜１６）の出力レベルをそれぞれ測定し、その測定値を示す信号（「アンプ測定値信号」という）を制御信号Ｉ／Ｆ２１から送信する処理である。
６つ目は、上述した７種類のうちのいずれかのパラメータとその設定先の回路を指示する制御信号（「パラメータ設定制御信号」という）とを制御信号Ｉ／Ｆ２１を介して受信した場合に、その制御信号が示す回路へパラメータを設定する処理である。
【００１２】
コンピュータ１０は、制御信号Ｉ／Ｆ１１およびオーディオ信号Ｉ／Ｆ１２のほか、ディスプレイ１３、マウス１４、ＣＰＵ１５、ＲＡＭ１６、ＲＯＭ１７、ハードディスク１８を有する。
ディスプレイ１３は、各種情報を表示する。マウス１４は、ディスプレイ１３の表示領域内におけるマウスカーソルの移動、左クリック、および右クリックの各操作を受け付けるポインティングデバイスである。
ＣＰＵ１５は、コンピュータ１０の制御中枢であり、ＲＡＭ１６をワークエリアとして利用しつつ、ＲＯＭ１７やハードディスク１８に記憶されたプログラムを実行する。ＲＯＭ１７には、ＩＰＬ（Initial Program Loader）などの簡易なプログラムが記憶される。ハードディスク１８には、音場パターンデータベース、解析プログラム、およびパラメータ設定プログラムが記憶される。
【００１３】
音場パターンデータベースは、パラメータPECHOを収録したデータベースである。音場パターンデータベースには、音場感（残響感、音量感、空間感等）を異にする複数の目標音響空間のインパルス応答波形から得た複数のパラメータPECHOを収録しておくとよい。
解析プログラムは、オーディオ信号Ｉ／Ｆ１２から入力される信号の周波数成分を解析し、その解析結果であるパワースペクトルをディスプレイ１３に表示させる処理を、ＣＰＵ１５に実行させるプログラムである。
【００１４】
パラメータ設定プログラムは、上述した７種類のパラメータを生成して音場支援装置２０の各回路へ設定する処理を、ＣＰＵ１５に実行させるプログラムである。
このプログラムは、以下に示す２つの機能を有する。
ａ．基本画面表示制御機能
これは、基本画面である設定手順案内画面と回路構成案内画面とをディスプレイ１３に表示させる機能である。設定手順案内画面は、音場支援装置２０における各回路の呼称を記したボタンを、それらの回路へのパラメータの最も効率的な設定順の通りに並べた画面である。ここで、パラメータの最も効率的な設定順とは、音場支援装置２０のある回路に設定したパラメータの内容を、以後に別の回路へ設定したパラメータの内容に合わせて設定し直すことなく、音場支援装置２０のすべての回路へのパラメータの設定を終えることができる設定順を意味する。回路構成案内画面は、それらの各回路の呼称を記したボタンを、音場支援装置２０内における回路配列の通りに並べた画面である。これらの両画面の詳細は、後述する。
ｂ．パラメータ設定支援制御機能
これは、設定手順案内画面および回路構成案内画面にボタンとして表示された回路を選択する操作を検出し、選択された回路へのパラメータの設定を支援する設定支援画面をディスプレイ１３に表示させ、各設定支援画面をディスプレイ１３に表示させている間に設定者により行われる各種操作を検出し、その操作に応じて生成したパラメータを制御信号Ｉ／Ｆ１１を介して送信する機能である。
【００１５】
次に、本実施形態の動作を説明する。図２は、本実施形態の動作を示すフローチャートである。この図に示すステップＳ１００は、基本画面表示制御機能の働きによってＣＰＵ１５が実行する処理であり、ステップＳ１１０〜ステップＳ３７０の処理は、パラメータ設定支援制御機能の働きによってＣＰＵ１５が実行する処理である。
図２において、ＣＰＵ１５は、設定手順案内画面と回路構成案内画面とをディスプレイ１３に表示させる（Ｓ１００）。
【００１６】
図３は、設定手順案内画面と回路構成案内画面とを示す図である。
設定手順案内画面には、「出力側アンプ」の文字が記されたボタン５１−１、「入力側アンプ」の文字が記されたボタン５２−１、「ミックス８×４」の文字が記されたボタン５３−１、「ＥＭＲ」の文字が記されたボタン５４−１、「アサイン４／１６」の文字が記されたボタン５５−１、「ＰＥＱ（後）」の文字が記されたボタン５６−１、「ＦＩＲ」の文字が記されたボタン５７−１、「ＰＥＱ（前）」の文字が記されたボタン５８−１が、設定作業の手順に従って上から下に向かって順に並べられている。
回路構成案内画面には、「入力側アンプ」の文字が記されたボタン５２−２、「ミックス８×４」の文字が記されたボタン５３−２、「ＥＭＲ」の文字が記されたボタン５４−２、「ＦＩＲ」の文字が記されたボタン５７−２、「ＰＥＱ（前）」の文字が記されたボタン５８−２、「アサイン４／１６」の文字が記されたボタン５５−２、「ＰＥＱ（後）」の文字が記されたボタン５６−２、「出力側アンプ」の文字が記されたボタン５１−２が、信号処理の流れに従って左から右に向かって順に並べられている。
設定者は、設定手順案内画面および回路構成案内画面がディスプレイ１３に表示されると、ボタン選択操作を行うことができる。ボタン選択操作は、ディスプレイ１３の表示領域内におけるマウスカーソルを任意のボタン上へ移動させて左クリックする操作である。
ＣＰＵ１５は、設定手順案内画面および回路構成案内画面においてボタン選択操作が行われたことを検出すると、その操作によって選択された回路へのパラメータの設定を支援する設定支援処理を実行する。
各設定支援処理について詳述する。
【００１７】
ＣＰＵ１５は、設定手順案内画面のボタン５１−１が選択されたことを検出すると（Ｓ１１０：Ｙｅｓ）、出力側相対レベルパラメータ設定支援処理を実行する（Ｓ３００）。
出力側相対レベルパラメータ設定支援処理において、ＣＰＵ１５は、出力側相対レベルパラメータ設定支援画面を、設定手順案内画面および回路構成案内画面と別のウィンドウとしてディスプレイ１３に表示させる。
図４は、出力側相対レベルパラメータ設定支援画面を示す図である。この画面には、バーメータ７０，７１−ｖ（ｖ＝１〜１６）が並べて表示されており、バーメータ７０の下にはボタン７２が表示されている。ボタン７２は、選択されるたびに、「オフ」から「オン」、「オン」から「オフ」へと切り換わる。バーメータ７１−ｖ（ｖ＝１〜１６）の下にはボリューム７３−ｖ（ｖ＝１〜１６）が表示されており、ボリューム７３−ｖ（ｖ＝１〜１６）の下には、アンプ部３４の出力信号OUTSIGOUTAMP−ｖ（ｖ＝１〜１６）のチャネルを示す「１」〜「１６」の番号が表示されている。
設定者は、出力側相対レベルパラメータ設定支援画面が表示されている間、ボタン選択操作とボリューム回転操作とを行うことができる。ボリューム回転操作は、ディスプレイ１３の表示領域内におけるマウスカーソルを任意のボリューム上であってその中心よりやや外側の位置へ移動させて左クリックし、左クリックした状態のままマウスカーソルを時計方向または反時計方向に移動させる操作である。
これらの操作が行われた場合にＣＰＵ１５が実行する処理は、以下の通りである。
ａ．ボタン７２を「オフ」から「オン」へ切り換えるボタン選択操作が行われた場合
ＣＰＵ１５は、ボタン７２を選択するボタン選択操作が行われたことを検出すると、加算器２８−ｈ（ｈ＝１〜４）へのテスト信号の出力を指示するテスト音出力制御信号を制御信号Ｉ／Ｆ１１を介して音場支援装置２０へ送信する。音場支援装置２０の制御部３５は、この制御信号を受信すると、加算器２８−ｈ（ｈ＝１〜４）へテスト信号を出力する。さらに、制御部３５は、加算器２８−ｈ（ｈ＝１〜４）に出力したテスト信号の出力レベルの測定値を示すテスト測定値信号、および、アンプ部３４における出力信号OUTSIGOUTAMP−ｖ（ｖ＝１〜１６）の出力レベルの測定値を示すアンプ測定値信号を制御信号Ｉ／Ｆ２１から送信する。ＣＰＵ１５は、テスト測定値信号およびアンプ測定値信号を受信すると、テスト測定値信号が示す出力レベルに合わせてバーメータ７０のレベルを上下動させて表示し、アンプ測定値信号が示す出力レベルに合わせてバーメータ７１−ｖ（ｖ＝１〜１６）のレベルを上下動させて表示する。
ｂ．ボリューム７３−ｖを回転させるボリューム回転操作が行われた場合
ＣＰＵ１５は、あるボリューム７３−ｖを回転させるボリューム回転操作が行われたことを検出すると、そのボリューム７３−ｖの回転角度を換算したレベル比を示すパラメータPOUTAMP−ｖ、およびその設定先であるアンプ部３４を示すパラメータ設定制御信号を制御信号Ｉ／Ｆ１１を介して音場支援装置２０へ送信する。音場支援装置２０の制御部３５は、そのパラメータPOUTAMP−ｖを、パラメータ設定制御信号が示すアンプ部３４に設定する。
設定者は、出力側相対レベルパラメータ設定支援画面において、ボタン７２を「オン」にするボタン選択操作を行ってテスト信号を出力させ、バーメータ７０のレベルとバーメータ７１−ｖ（ｖ＝１〜１６）のレベルが等しくなるように、ボリューム７３−ｖ（ｖ＝１〜１６）の回転角度を調整する。
【００１８】
ＣＰＵ１５は、設定手順案内画面のボタン５２−１が選択されたことを検出すると（Ｓ１２０：Ｙｅｓ）、入力側相対レベルパラメータ設定支援処理を実行する（Ｓ３１０）。
ここで、設定者は、音響空間１における演奏音の発生位置（たとえば、演奏ステージなど）にテスト音源スピーカを置き、そのテスト音源スピーカから予想最大音量のマイク調整用テスト音を放音させた状態で、ボタン５２−１を選択する操作を行う。
入力側相対レベルパラメータ設定支援処理において、ＣＰＵ１５は、入力側相対レベルパラメータ設定支援画面を、設定手順案内画面および回路構成案内画面と別のウィンドウとしてディスプレイ１３に表示させる。
図５は、入力側相対レベルパラメータ設定支援画面を示す図である。この画面には、バーメータ７６−ｕ（ｕ＝１〜８）が表示されている。そして、バーメータ７６−ｕ（ｕ＝１〜８）の上には、ボリューム７５−ｕ（ｕ＝１〜８）が表示されている。ボリューム７５−ｕ（ｕ＝１〜８）の上には、アンプ部２３の出力信号OUTSIGINAMP−ｕ（ｕ＝１〜８）のチャネルを示す「１」〜「８」の番号が表示されている。
ＣＰＵ１５は、この入力側相対レベルパラメータ設定支援画面を表示させると、その旨を示す信号を制御信号Ｉ／Ｆ１１を介して音場支援装置２０へ送信する。すると、音場支援装置２０の制御部３５は、アンプ部２３の出力信号OUTSIGINAMP−ｕ（ｕ＝１〜８）の出力レベルの測定値を示すアンプ測定値信号を制御信号Ｉ／Ｆ２１を介して送信する。この測定値信号は、マイク調整用テスト音の収音信号であってアンプ部２３を経由したもののレベルを示すものである。ＣＰＵ１５は、アンプ測定値信号を受信すると、そのアンプ測定値信号が示す出力レベルに合わせてバーメータ７６−ｕ（ｕ＝１〜８）のレベルを上下動させて表示する。
設定者は、入力側相対レベルパラメータ設定支援画面が表示されている間、ボリューム回転操作を行うことができる。ＣＰＵ１５は、あるボリューム７５−ｕを回転させるボリューム回転操作が行われたことを検出すると、そのボリューム７５−ｕの回転角度を換算したレベル比を示すパラメータPINAMP−ｕとその設定先であるアンプ部２３を示すパラメータ設定制御信号とを制御信号Ｉ／Ｆ１１を介して音場支援装置２０へ送信する。音場支援装置２０の制御部３５は、そのパラメータPINAMP−ｕを、パラメータ設定制御信号が示すアンプ部２３に設定する。
設定者は、入力側相対レベルパラメータ設定支援画面において、バーメータ７６−ｕ（ｕ＝１〜８）が示すレベルが規定値になるように、ボリューム７５−ｕ（ｕ＝１〜８）の回転角度を調整する。
【００１９】
ＣＰＵ１５は、設定手順案内画面のボタン５３−１が選択されたことを検出すると（Ｓ１３０：Ｙｅｓ）、入力側チャネル割当パラメータ設定支援処理を実行する（Ｓ３２０）。
入力側チャネル割当パラメータ設定支援処理において、ＣＰＵ１５は、入力側チャネル割当パラメータ設定支援画面を、設定手順案内画面および回路構成案内画面と別のウィンドウとしてディスプレイ１３に表示させる。
図６は、入力側チャネル割当パラメータ設定支援画面を示す図である。この画面には、３２個のボタン７７−ｕ（ｕ＝１〜８）−ｈ（ｈ＝１〜４）が、縦８行、横４列のマトリクスをなすように表示されている。ボタン７７−ｕ（ｕ＝１〜８）−ｈ（ｈ＝１〜４）は、選択されるたびに、「オフ」から「オン」、「オン」から「オフ」へと切り換わる。これらのボタン７７−ｕ（ｕ＝１〜８）−ｈ（ｈ＝１〜４）における最も左の列をなすボタン７７−ｕ（ｕ＝１〜８）−１の左には、スイッチ２４の入力側に繋がる信号線LIN−ｕ（ｕ＝１〜８）のチャネルを示す「１」〜「８」の番号が表示されている。また、その最も上の行をなすボタン７７−１−ｈ（ｈ＝１〜４）の上には、スイッチ２４の出力側に繋がる信号線LIN−ｈ（ｈ＝１〜４）のチャネルを示す「１」〜「４」の番号が表示されている。
設定者は、入力側チャネル割当パラメータ設定支援画面が表示されている間、ボタン選択操作を行うことができる。ＣＰＵ１５は、あるボタン７７−ｕ−ｈを「オフ」から「オン」に切り換えるボタン選択操作が行われたことを検出すると、選択されたボタン７７−ｕ−ｈが位置する行の番号ｕに対応する信号線LIN−ｕとその列の番号ｈに対応する信号線LIN−ｈとの結線を示すパラメータPINCH、およびパラメータPINCHの設定先であるスイッチ２４を示すパラメータ設定制御信号を制御信号Ｉ／Ｆ１１を介して音場支援装置２０へ送信する。音場支援装置２０の制御部３５は、そのパラメータPINCHを、パラメータ設定制御信号が示すスイッチ２４に設定する。
設定者は、入力側チャネル割当パラメータ設定支援画面において、スイッチ２４の入力側の信号線LIN−ｕ（ｕ＝１〜８）の１つのチャネルに出力側の信号線LIN−ｈ（ｈ＝１〜４）の２つのチャネルが均等に割り当てられるように、ボタン選択操作を行う。
【００２０】
ＣＰＵ１５は、設定手順案内画面のボタン５４−１が選択されたことを検出すると（Ｓ１４０：Ｙｅｓ）、切り換え周期パラメータ設定支援処理を実行する（Ｓ３３０）。
切り換え周期パラメータ設定支援処理において、ＣＰＵ１５は、切り換え周期パラメータ設定支援画面を、設定手順案内画面および回路構成案内画面と別のウィンドウとしてディスプレイ１３に表示させる。
切り換え周期パラメータ設定支援画面には、周期を数値として入力する入力欄が表示されている。設定者は、切り換え周期パラメータ設定支援画面が表示されている間、数値入力操作を行うことができる。ＣＰＵ１５は、数値入力操作によって入力欄に数値が入力されたことを検出すると、入力された数値を示すパラメータPEMRとその設定先であるＥＭＲ２５を示すパラメータ設定制御信号とを制御信号Ｉ／Ｆ１１を介して音場支援装置２０へ送信する。音場支援装置２０の制御部３５は、そのパラメータPEMRをＥＭＲ２５に設定する。
設定者は、切り換え周期パラメータ設定支援画面において、スピーカ３−ｍ（ｍ＝１〜１６）とマイクロホン２−ｋ（ｋ＝１〜８）の設置位置間の距離や目的とする残響時間などを基に割り出しておいた切り換え周期の最適値を入力欄に入力する。
【００２１】
ＣＰＵ１５は、設定手順案内画面のボタン５５−１が選択されたことを検出すると（Ｓ１５０：Ｙｅｓ）、出力側チャネル割当パラメータ設定支援処理を実行する（Ｓ３４０）。
出力側チャネル割当パラメータ設定支援処理において、ＣＰＵ１５は、出力側チャネル割当パラメータ設定支援画面を、設定手順案内画面および回路構成案内画面と別のウィンドウとしてディスプレイ１３に表示させる。
図７は、出力側チャネル割当パラメータ設定支援画面を示す図である。この画面には、６４個のボタン７８−ｈ（ｈ＝１〜４）−ｖ（ｖ＝１〜１６）が、縦４行、横１６列のマトリクスをなすように表示されている。ボタン７８−ｈ（ｈ＝１〜４）−ｖ（ｖ＝１〜１６）は、選択されるたびに、「オフ」から「オン」、「オン」から「オフ」へと切り換わる。これらのボタン７８−ｈ（ｈ＝１〜４）−ｖ（ｖ＝１〜１６）における最も下の行をなすボタン７８−４−ｖ（ｖ＝１〜１６）の下には、スイッチ３１の出力側に繋がる信号線LIN−ｖ（ｖ＝ｖ〜１６）のチャネルを示す「１」〜「１６」の番号が表示されている。また、その最も左の列をなすボタン７８−ｈ（ｈ＝１〜４）−１の左には、スイッチ３１の入力側に繋がる信号線LIN−ｈ（ｈ＝１〜４）のチャネルを示す「１」〜「４」の番号が表示されている。
設定者は、出力側チャネル割当パラメータ設定支援画面が表示されている間、ボタン選択操作を行うことができる。ＣＰＵ１５は、あるボタン７８−ｈ−ｖを「オフ」から「オン」に切り換えるボタン選択操作が行われたことを検出すると、選択されたボタン７８−ｈ−ｖが位置する行の番号ｈに対応する信号線LIN−ｈとその列の番号ｖに対応する信号線LIN−ｖとの結線を示すパラメータPOUTCH、およびその設定先であるスイッチ３１を示すパラメータ設定制御信号を制御信号Ｉ／Ｆ１１を介して音場支援装置２０へ送信する。音場支援装置２０の制御部３５は、そのパラメータPOUTCHを、パラメータ設定制御信号が示すスイッチ３１に設定する。
設定者は、出力側チャネル割当パラメータ設定支援画面において、スイッチ３１の入力側の信号線LIN−ｈ（ｈ＝１〜４）の１つのチャネルに出力側の信号線LIN−ｖ（ｖ＝１〜１６）の４つのチャネルが均等に割り当てられるように、ボタン選択操作を行う。
【００２２】
ＣＰＵ１５は、設定手順案内画面のボタン５６−１が選択されたことを検出すると（Ｓ１６０：Ｙｅｓ）、第１段階ＰＥＱパラメータ設定支援処理を実行する（Ｓ３５０）。
第１段階ＰＥＱパラメータ設定支援処理において、ＣＰＵ１５は、ＰＥＱパラメータ設定支援画面の第１画面を、設定手順案内画面および回路構成案内画面と別のウィンドウとしてディスプレイ１３に表示させる。
図８は、ＰＥＱパラメータ設定支援画面の第１画面を示す図である。この画面には、バーメータ８１−ｖ（ｖ＝１〜１６）が表示されており、バーメータ８１−ｖ（ｖ＝１〜１６）の下には、ボタン８２−ｖ（ｖ＝１〜１６）が表示されている。ボタン８２−ｖ（ｖ＝１〜１６）内には、「ＰＥＱ」の文字が記されている。ボタン８２−ｖ（ｖ＝１〜１６）の下には、ＰＥＱ３２−ｖ（ｖ＝１〜１６）が設けられている信号線LIN−ｖ（ｖ＝１〜１６）のチャネルを示す「１」〜「１６」の番号が表示されている。バーメータ８１−１の左には、４つのボタン８３−ｈ（ｈ＝１〜４）が上下に並んで表示されている。ボタン８３−ｈ（ｈ＝１〜４）の左には、加算器２８−ｈ（ｈ＝１〜４）が設けられている信号線LIN−ｈ（ｈ＝１〜４）のチャネルを示す「１」〜「４」の番号が表示されている。ボタン８３−ｈ（ｈ＝１〜４）は、選択されるたびに、「オフ」から「オン」、「オフ」から「オン」へ切り換わる。ボタン８３−４の下にはバーメータ８５が表示され、その下には、「テスト信号」の文字が表示されている。また、バーメータ８５の右にはバーメータ８６が表示され、その下には、「応答信号」の文字が表示されている。
ＣＰＵ１５は、ＰＥＱパラメータ設定支援画面の第１画面を表示させると、スイッチ２７−ｈ（ｈ＝１〜４）のすべてを「オン」にすることを指示するスイッチ切換制御信号を制御信号Ｉ／Ｆ１１を介して音場支援装置２０へ送信する。音場支援装置２０の制御部３５は、そのスイッチ切換制御信号が示すようにスイッチ２７−ｈ（ｈ＝１〜４）を切り換える。
設定者は、ＰＥＱパラメータ設定支援画面の第１画面が表示されている間、ボタン選択操作を行うことができる。この操作が行われた場合にＣＰＵ１５が実行する処理は、以下の通りである。
ａ．ボタン８３−ｈを選択するボタン選択操作が行われた場合
ＣＰＵ１５は、この操作が行われると、選択されたボタン８３−ｈと同チャネルの信号線LIN−ｈ上の加算器２８−ｈへのテスト信号の出力を指示するテスト音出力制御信号を、制御信号Ｉ／Ｆ１１を介して音場支援装置２０へ送信する。すると、音場支援装置２０の制御部３５は、その制御信号が示す加算器２８−ｈへテスト信号を出力する。さらに、制御部３５は、加算器２８−ｈに出力したテスト信号の出力レベルの測定値を示すテスト測定値信号およびアンプ部３４の出力信号OUTSIGOUTAMP−ｖ（ｖ＝１〜１６）の出力レベルの測定値を示すアンプ測定値信号を制御信号Ｉ／Ｆ２１を介してコンピュータ１０へ送信する。ＣＰＵ１５は、テスト測定値信号およびアンプ測定値信号を受信すると、テスト測定値信号が示す出力レベルに合わせてバーメータ８５のレベルを上下動させて表示し、アンプ測定値信号が示す出力レベルに合わせてバーメータ８１−ｖ（ｖ＝１〜１６）のレベルを上下動させて表示する。
ｂ．ボタン８２−ｖを選択するボタン選択操作が行われた場合
ＣＰＵ１５は、この操作が行われると、選択されたボタン８２−ｖと同チャネルの信号線LIN−ｖ上の信号採取点３３−ｖからの信号の採取を指示する信号採取制御信号を、制御信号Ｉ／Ｆ１１を介して音場支援装置２０へ送信する。すると、音場支援装置２０の制御部３５は、その制御信号が示す信号採取点３３−ｖから採取した応答信号をオーディオ信号Ｉ／Ｆ２２から出力する。ＣＰＵ１５は、応答信号がオーディオ信号Ｉ／Ｆ１２を介して入力されると、その出力レベルを測定し、測定したレベルに応じてバーメータ８６のレベルを上下動させて表示する。また、解析プログラムが起動されている状態でその応答信号がオーディオ信号Ｉ／Ｆ１２を介して入力された場合、その応答信号を解析プログラムによって解析させた結果であるパワースペクトルをディスプレイ１３に表示させる。また、ＣＰＵ１５は、ボタン８２−ｖが選択されると、ＰＥＱパラメータ設定支援画面の第２画面を、第１画面と別のウィンドウとしてディスプレイ１３に表示させる。
【００２３】
図９は、ＰＥＱパラメータ設定支援画面の第２画面を示す図である。この画面には、２４個のボリューム８７−ｒ（ｒ＝１〜３）−ｕ（ｕ＝１〜８）が、縦３行、横８列のマトリクスをなすように表示されている。ボリューム８７−ｒ（ｒ＝１〜３）−ｕ（ｕ＝１〜８）における最も上の行をなすボリューム８７−１−ｕ（ｕ＝１〜８）の上には、ＰＥＱ３２−ｖ（ｖ＝１〜１６）における第１〜第８の周波数バンドを示す「１」〜「８」の番号が表示されている。また、最も左の列をなすボリューム８７−ｒ（ｒ＝１〜３）−１の各々の左には、「Ｑ値」、「周波数」、「ゲイン」の文字が表示されている。ボリューム８７−１−８の右には、ボタン８８が表示され、ボタン８８内には「ＰＥＱオン」の文字が記されている。
設定者は、ＰＥＱパラメータ設定支援画面の第２画面が表示されている間、ボリューム回転操作を行うことができる。ＣＰＵ１５は、ＰＥＱパラメータ設定支援画面の第２画面を表示させると、ＲＡＭ１６に確保した記憶領域（「換算値記憶領域」という）に、ボリューム８７−１−ｕ（ｕ＝１〜８）の回転角度を換算したＱ値ｑ−ｕ（ｕ＝１〜８）、ボリューム８７−２−ｕ（ｕ＝１〜８）の回転角度を換算した周波数ｆ−ｕ（ｕ＝１〜８）、およびボリューム８７−３−ｕ（ｕ＝１〜８）の回転角度を換算したゲインｇ−ｕ（ｕ＝１〜８）を記憶した上で、ボリューム８７−ｒ（ｒ＝１〜３）−ｕ（ｕ＝１〜８）に対してボリューム回転操作が行われたことを検出する。ボリューム回転操作が行われた場合にＣＰＵ１５が実行する処理は、以下の通りである。
ａ．ボリューム８７−１−ｕを回転させるボリューム回転操作が行われた場合
ＣＰＵ１５は、この操作が行われると、操作後のボリューム８７−１−ｕの回転角度を換算したＱ値ｑ−ｕにより換算値記憶領域におけるＱ値ｑ−ｕを置き換える。
ｂ．ボリューム８７−２−ｕを回転させるボリューム回転操作が行われた場合
ＣＰＵ１５は、この操作が行われると、操作後のボリューム８７−２−ｕの回転角度を換算した周波数ｆ−ｕにより換算値記憶領域における周波数ｆ−ｕを置き換える。
ｃ．８７−３−ｕを回転させるボリューム回転操作が行われた場合
ＣＰＵ１５は、この操作が行われると、操作後のボリュームの８７−３−ｕの回転角度を換算したゲインｇ−ｕにより換算値記憶領域におけるゲインｇ−ｕを置き換える。
ｄ．ボタン８８を選択するボタン選択操作が行われた場合
ＣＰＵ１５は、この操作が行われると、その時点において換算値記憶領域に記憶されているＱ値ｑ−ｕ（ｕ＝１〜８）、周波数ｆ−ｕ（ｕ＝１〜８）、ゲインｇ−ｕ（ｕ＝１〜８）を示すパラメータPPEQBACK−ｖ、およびその設定先であるＰＥＱ３２−ｖを示すパラメータ設定制御信号を制御信号Ｉ／Ｆ１１を介して音場支援装置２０へ送信する。ここで、ＣＰＵ１５は、第２画面を表示させるトリガーとして選択されたボタン８２−ｖに対応するＰＥＱ３２−ｖを、パラメータPPEQBACK−ｖの設定先とする。音場支援装置２０の制御部３５は、コンピュータ１０から受信したパラメータPPEQBACK−ｖを、パラメータ設定制御信号が示すＰＥＱ３２−ｖへ設定する。
【００２４】
設定者は、ＰＥＱパラメータ設定支援画面の第１画面において、ＰＥＱ３２−ｖ（ｖ＝１〜１６）の各々のパラメータPPEQBACK−ｖ（ｖ＝１〜１６）を以下のようにして設定する。まず、設定者は、ボタン８２−１を選択する。すると、ＰＥＱパラメータ設定支援画面の第２画面がディスプレイ１３に表示される。
次に、設定者は、解析プログラムを起動させ、ボタン８３−１を選択する。これにより、加算器２８−１へテスト信号が出力され、信号採取点３３−１から採取された応答信号がコンピュータ１０へ入力され、その応答信号を解析プログラムに解析させた結果であるパワースペクトルがディスプレイ１３に表示される。このパワースペクトルは、加算器２８−１とＰＥＱ３２−１とを経由点とする音響帰還ループであってＦＩＲフィルタ２９−１、ＰＥＱ３０−１をバイパスしてスルーさせたものの伝達関数の振幅特性を示すものである。設定者は、このパワースペクトルがフラットであるか否かを確認する。さらに、ボタン８２−２，８２−３，８３−４を順に選択し、各々の選択の後に表示されるパワースペクトルがフラットであるか否かを確認する。
設定者は、ディスプレイ１３に表示される一連のパワースペクトルがフラットになっていない場合、第２画面を通じて得た新たなパラメータPPEQBACK−１をＰＥＱ３２−１に設定し、設定後にディスプレイ１３に表示されるパワースペクトルを再び確認する。そして、パワースペクトルがフラットになったことを確認すると、ＰＥＱ３２−１へのパラメータPPEQBACK−１の設定を終了する。
設定者は、以上の操作を、ボタン８２−ｖ（ｖ＝２〜１６）を順に選択しながら繰り返す。
【００２５】
ＣＰＵ１５は、設定手順案内画面のボタン５７−１が選択されたことを検出すると（Ｓ１７０：Ｙｅｓ）、音場パラメータ設定支援処理を実行する（Ｓ３６０）。
音場パラメータ設定支援処理において、ＣＰＵ１５は、音場パラメータ設定支援画面を、設定手順案内画面および回路構成案内画面と別のウィンドウとしてディスプレイ１３に表示させる。
残響音パラメータ設定支援画面は、残響パターンデータベースに収録されているパラメータPECHOのすべてのファイル名を表示させた画面である。
設定者は、残響音パラメータ設定支援画面が表示されている間、ファイル名選択操作を行うことができる。ＣＰＵ１５は、あるファイル名を選択するファイル選択操作が行われたことを検出すると、そのファイル名と対応するパラメータPECHOを残響パターンデータベースから読み出し、読み出したパラメータPECHOとその設定先であるＦＩＲフィルタ２９−ｈを示すパラメータ設定制御信号とを制御信号Ｉ／Ｆ１１を介して音場支援装置２０へ送信する。音場支援装置２０の制御部３５は、このパラメータPECHO−ｈをＦＩＲフィルタ２９−ｈに設定する。
設定者は、残響音パラメータ設定支援画面において、音場支援装置２０の製造元に指定されているパラメータPECHO−ｈ（ｈ＝１〜４）が音場支援装置２０のＦＩＲフィルタ２９−ｈ（ｈ＝１〜４）に設定されるように、ファイル名選択操作を行う。
【００２６】
ＣＰＵ１５は、設定手順案内画面のボタン５８−１が選択されたことを検出すると（Ｓ１８０：Ｙｅｓ）、第２段階ＰＥＱパラメータ設定支援処理を実行する（Ｓ３７０）。
第２段階ＰＥＱパラメータ設定支援処理において、ＣＰＵ１５は、ＰＥＱパラメータ設定支援画面の第３画面を、設定手順案内画面および回路構成案内画面と別のウィンドウとしてディスプレイ１３に表示させる。
図１０は、ＰＥＱパラメータ設定支援画面の第３画面を示す図である。この画面は、ＰＥＱ３０−ｈ（ｈ＝１〜４）の各々をパラメータの設定対象として選択するためのボタンとその前段の回路の呼称を内部に記した矩形とを音場支援装置２０における回路配列（ブロック図）の通りに並べ、その下に２つのバーメータを並べた画面である。より具体的に説明すると、この画面の右端には、４つのボタン８９−ｈ（ｈ＝１〜４）が上下に並べて表示されており、ボタン８９−ｈ（ｈ＝１〜４）内には、「ＰＥＱ」という文字が記されている。ボタン８９−ｈ（ｈ＝１〜４）の右には、ＰＥＱ３０−ｈ（ｈ＝１〜４）が設けられている信号線LIN−ｈ（ｈ＝１〜４）のチャネルを示す「１」〜「４」の番号が表示されている。ボタン８９−ｈ（ｈ＝１〜４）の左には、「ＦＩＲ」の文字を囲む矩形９０が表示され、両者の間には４本の線が表示されている。矩形９０の左には、「ＥＭＲ」の文字を囲む矩形９１が表示され、両者の間には４本の線が表示されている。そして、これらの４本の線の各々の下には、ボタン９５−ｈ（ｈ＝１〜４）が表示され、ボタン９５−ｈ（ｈ＝１〜４）の左には、信号採取点２６−ｈ（ｈ＝１〜４）が設けられている信号線LIN−ｈ（ｈ＝１〜４）のチャネルを示す「１」〜「４」の番号が表示されている。ボタン９５−４の下には、バーメータ９８が表示され、その下には「応答信号」の文字が表示されている。バーメータ９８の右には、バーメータ９７が表示され、その下には「テスト信号」の文字が表示されている。バーメータ９７の上には、ボタン９６が表示される。ボタン９５−ｈ（ｈ＝１〜４），９６は、選択されるたびに、「オフ」から「オン」、「オン」から「オフ」へ切り換わる。また、矩形９１の左には、「ミックス８×４」の文字を囲む矩形９２が表示されており、両者の間には４本の線が表示されている。矩形９２の左には、「入力側アンプ」の文字を囲む矩形９３が表示されており、両者の間には８本の線が表示されている。
【００２７】
設定者は、ＰＥＱパラメータ設定支援画面の第３画面が表示されている間、ボタン選択操作を行うことができる。この操作が行われた場合にＣＰＵ１５が実行する処理は、以下の通りである。
ａ．ボタン８９−ｈを選択するボタン選択操作が行われた場合
ＣＰＵ１５は、この操作が行われると、選択されたボタン８９−ｈと同チャネルの信号線LIN−ｈ上のスイッチ２７−ｈを「オン」にし、他のチャネルの信号線LIN−ｈ上のスイッチ２７−ｈを「オフ」にすることを指示するスイッチ切換制御信号を制御信号Ｉ／Ｆ１１を介して音場支援装置２０へ送信する。すると、音場支援装置２０の制御部３５は、そのスイッチ切換制御信号が示すようにスイッチ２７−ｈ（ｈ＝１〜４）を切り換える。さらに、ＣＰＵ１５は、第２画面（図９）と同様の画面であってＰＥＱ３０−ｈ（ｈ＝１〜４）へのパラメータPPEQFOW−ｈ（ｈ＝１〜４）の設定を行うためのものを、第３画面と別のウィンドウとしてディスプレイ１３に表示させる。設定者は、上述したボリューム回転操作とボタン選択操作とをこの第２画面において行うことにより、第３画面において選択したボタン８９−ｈに対応するＰＥＱ３０−ｈへのパラメータPPEQFOW−ｈの設定を行うことができる。この第２画面におけるボリューム回転操作とボタン選択操作の再度の説明は、割愛する。
ｂ．ボタン９６を選択するボタン選択操作が行われた場合
ＣＰＵ１５は、この操作が行われると、加算器２８−ｈ（ｈ＝１〜４）へのテスト信号の出力を指示するテスト音出力制御信号を制御信号Ｉ／Ｆ１１を介して音場支援装置２０へ送信する。すると、音場支援装置２０の制御部３５は、加算器２８−ｈ（ｈ＝１〜４）へテスト信号を出力する。さらに、制御部３５は、この加算器２８−ｈ（ｈ＝１〜４）に出力したテスト信号の出力レベルの測定値を示すテスト測定値信号を制御信号Ｉ／Ｆ２１からコンピュータ１０へ送信する。ＣＰＵ１５は、テスト測定値信号を受信すると、そのテスト測定値信号が示す出力レベルに合わせてバーメータ９７のレベルを上下動させて表示する。
ｃ．ボタン９５−ｈを選択するボタン選択操作が行われた場合
ＣＰＵ１５は、この操作が行われると、選択されたボタン９５−ｈと同チャネルの信号線ｈ上の信号採取点２６−ｈからの信号の採取を指示する信号採取制御信号を、制御信号Ｉ／Ｆ１１を介して音場支援装置２０へ送信する。すると、音場支援装置２０の制御部３５は、その制御信号が指示する信号採取点２６−ｈから採取した応答信号をオーディオ信号Ｉ／Ｆ２２を介して出力する。ＣＰＵ１５は、応答信号がオーディオ信号Ｉ／Ｆ２２を介して入力されると、その出力レベルを測定し、測定したレベルに応じてバーメータ９８のレベルを上下動させて表示する。また、解析プログラムが起動されている状態でその応答信号がオーディオ信号Ｉ／Ｆ２２を介して入力された場合、その応答信号を解析プログラムによって解析させた結果であるパワースペクトルをディスプレイ１３に表示させる。
【００２８】
設定者は、ＰＥＱパラメータ設定支援画面の第３画面において、ＰＥＱ３０−ｈ（ｈ＝１〜４）の各々のパラメータPPEQFOW−ｈ（ｈ＝１〜４）を以下のようにして設定する。まず、設定者は、ボタン８９−１を選択するボタン選択操作を行う。これにより、ＰＥＱパラメータ設定支援画面の第２画面がディスプレイ１３に表示される。
次に、設定者は、ボタン９６を選択するボタン選択操作を行う。これにより、加算器２８−ｈ（ｈ＝１〜４）へテスト信号が出力される。さらに、設定者は、解析プログラムを起動させた後、ボタン９５−１を選択する選択操作を行う。これにより、その選択されたボタン９５−１と同チャネルの信号線LIN−１上の信号採取点２６−１から採取された応答信号がコンピュータ１０へ入力され、その応答信号を解析プログラムに解析させた結果であるパワースペクトルがディスプレイ１３に表示される。このパワースペクトルは、加算器２８−１→ＦＩＲフィルタ２９−１→ＰＥＱ３０−１→スイッチ３１→ＰＥＱ３２−ｖ（ｖ＝２〜１６）→アンプ部３４→スピーカ３−ｍ（ｍ＝１〜１６）→音響空間１→マイクロホン２−ｋ（ｋ＝１〜８）→アンプ部２３→スイッチ２４→ＥＭＲ２５→信号採取点２６−１という開ループの伝達関数の振幅特性を示すものである。
設定者は、このパワースペクトルがフラットであるか否かを確認する。そして、パワースペクトルがフラットでない場合、第２画面を通じて得た新たなPPEQFOW−ｈをＰＥＱ３０−ｈに設定し、その設定後にディスプレイ１３に表示されるパワースペクトルを再び確認する。パワースペクトルがフラットになっていることを確認すると、ＰＥＱ３０−１へのパラメータPPEQFOW−１の設定を終了する。
設定者は、以上の作業を、ボタン８９−２、８９−３、８９−４を順に選択しながら繰り返す。
【００２９】
図２において、ＣＰＵ１５は、回路構成案内画面におけるボタン５２−２，５３−２，５４−２，５７−２，５８−２，５５−２，５６−２，５１−２の選択を検出したとき、内部の文字を同じくする設定手順案内画面のボタン５２−１，５３−１，５４−１，５７−１，５８−１，５５−１，５６−１，５１−１の選択を検出したときと同様の設定支援処理を行う。より具体的には、ＣＰＵ１５は、「入力側アンプ」の文字が記されたボタン５２−２が選択されたことを検出すると（Ｓ１９０：Ｙｅｓ）、入力側相対レベルパラメータ設定支援処理を実行し（Ｓ３１０）、「ミックス８×２」の文字が記されたボタン５３−２が選択されたことを検出すると（Ｓ２００：Ｙｅｓ）、入力側チャネル割当パラメータ設定支援処理を実行し（Ｓ３２０）、「ＥＭＲ」の文字が記されたボタン５４−２が選択されたことを検出すると（Ｓ２１０：Ｙｅｓ）、切り換え周期パラメータ設定支援処理を実行し（Ｓ３３０）、「ＦＩＲ」の文字が記されたボタン５７−２が選択されたことを検出すると（Ｓ２２０：Ｙｅｓ）、音場パラメータ設定支援処理を実行し（Ｓ３６０）、「ＰＥＱ（前）」の文字が記されたボタン５８−２が選択されたことを検出すると（Ｓ２３０：Ｙｅｓ）、第２段階ＰＥＱパラメータ設定支援処理を実行し（Ｓ３７０）、「アサイン４／１６」の文字が記されたボタン５５−２が選択されたことを検出すると（Ｓ２４０：Ｙｅｓ）、出力側チャネル割当パラメータ設定支援処理を実行し（Ｓ３４０）、「ＰＥＱ（後）」の文字が記されたボタン５６−２が選択されたことを検出すると（Ｓ２５０：Ｙｅｓ）、第１段階ＰＥＱパラメータ設定支援処理を実行し（Ｓ３５０）、「出力側アンプ」の文字が記されたボタン５１−２が選択されたことを検出すると（Ｓ２６０：Ｙｅｓ）、出力側相対レベルパラメータ設定支援処理を実行する（Ｓ３００）。
【００３０】
以上説明した本実施形態において、コンピュータ１０のＣＰＵ１５は、設定手順案内画面をディスプレイ１３に表示させる。この設定手順案内画面は、音場支援装置２０における各回路の呼称を記したボタンを、それらの回路へのパラメータの最も効率的な設定順の通りに並べたレイアウトになっている。設定者は、この設定案内画面におけるボタン５１−１〜５８−１を上から順に選択し、ディスプレイ１３に表示される設定支援画面においてパラメータの内容を決める操作を行っていく。これにより、音響帰還ループの伝達関数の周波数特性をフラットにしてハウリングを回避し、音場支援装置２０を安定的に稼働させるために必要なすべてのパラメータの設定を、一度設定したパラメータを後から設定し直すことなく最小の調整作業で効率よく実行できる。
【００３１】
（第２実施形態）
上記第１実施形態の音場パラメータ設定支援処理では、音場パラメータ設定支援画面において選択されたパラメータPECHOがＦＩＲフィルタ２９−ｈにそのまま設定された。しかし、本実施形態の音場パラメータ設定支援処理では、パラメータPECHOの一部のフィルタ係数ｈｊや遅延時間ｔｊを設定者の操作により個別に変更し、変更後のパラメータPECHOをＦＩＲフィルタ２９−ｈに設定する。
【００３２】
本実施形態の音場パラメータ設定支援処理において、ＣＰＵ１５は、音場パラメータ設定支援画面を表示させた後、その支援画面においていずれかのパラメータPECHOがファイル名選択操作によって選択されると、選択されたパラメータPECHOを音場パターンデータベースからＲＡＭ１６に読み出し、設定先選択画面をディスプレイ１３に表示させる。
図１１は、設定先選択画面を示す図である。この画面は、パラメータPECHOの設定先のＦＩＲフィルタ２９−ｈを選択するための画面である。この画面には、「ＦＩＲ１」、「ＦＩＲ２」、「ＦＩＲ３」、「ＦＩＲ４」とそれぞれ記されたボタン９９−ｈ（ｈ＝１〜４）が上下に並んで表示されている。
設定者は、音場パラメータ設定支援画面で選択したパラメータPECHOをＦＩＲフィルタ２９−１に設定するパラメータPECHO−１とする場合は、ボタン９９−１を選択するボタン選択操作を行い、ＦＩＲフィルタ２９−２に設定するパラメータPECHO−２とする場合は、ボタン９９−２を選択するボタン選択操作を行い、ＦＩＲフィルタ２９−３に設定するパラメータPECHO−３とする場合は、ボタン９９−３を選択するボタン選択操作を行い、ＦＩＲフィルタ２９−４に設定するパラメータPECHO−４とする場合は、ボタン９９−４を選択するボタン選択操作を行う。
【００３３】
ＣＰＵ１５は、ボタン９９−ｈ（ｈ＝１〜４）のいずれかが選択されたことを検出すると、フィルタ特性画面をディスプレイ１３に表示させる。
図１２は、フィルタ特性画面を示す図である。この画面は、音場パラメータ設定支援画面で選択されたパラメータPECHOのインパルス応答とその周波数応答の振幅特性とを示す画面である。この画面は、インパルス応答画面６０、振幅特性画面６１、および、「ＯＫ」、「キャンセル」とそれぞれ記されたボタン６２，６３を有する。
インパルス応答画面６０は、Ｘ座標軸に時間をとりＹ座標軸に各係数の大きさをとった２次元座標系に、パラメータPECHOのフィルタ係数ｈｊ（ｊ＝１，２…ｉ）と同じ数の矩形barｊ（ｊ＝１，２…ｉ）を並べた画面である。ＣＰＵ１５は、このインパルス応答画面６０における矩形barｊ（ｊ＝１，２…ｉ）の高さ、つまり、Ｘ軸から各々の上端までの幅を、ＲＡＭ１６のパラメータPECHOにおけるフィルタ係数ｈｊ（ｊ＝１，２…ｉ）の大きさに応じたものとする。また、ＣＰＵ１５は、矩形barｊ（ｊ＝１，２…ｉ）の時間軸上の位置、つまり、Ｙ軸からの距離を、遅延時間ｔｊ（ｊ＝１，２…ｉ）の長さに応じたものとする。
振幅特性画面６１は、パラメータPECHOが示すインパルス応答の波形のパワースペクトルを示す画面である。
【００３４】
フィルタ特性画面が表示されている間、設定者は、パラメータ調整操作とボタン選択操作とを行うことができる。図１３に示すように、パラメータ調整操作は、マウスカーソルｍｃをインパルス応答画面６０の任意の矩形barｊの上端に移動させて左クリックし、左クリックした状態のまま移動させて左クリックを解除する操作である。パラメータ調整操作およびボタン選択操作が行われたときにＣＰＵ１５が実行する処理は、以下の通りである。
ａ．パラメータ調整操作が行われた場合
ＣＰＵ１５は、パラメータ調整操作が行われると、この操作の対象となった矩形barｊと対応するフィルタ係数ｈｊと遅延時間ｔｊの対をＲＡＭ１６のパラメータPECHOから探索する。そして、該当の対におけるフィルタ係数ｈｊを、左クリックが解除された位置のＹ座標に応じた大きさのフィルタ係数ｈｊに変更し、その対における遅延時間ｔｊを、左クリックが解除された位置のＸ座標に応じた長さの遅延時間ｔｊに変更する。また、ＣＰＵ１５は、フィルタ特性画面における該当の矩形barｊの上端と左クリックが解除された位置とが合うように、その矩形barｊの高さおよび時間軸上の位置を変えて表示する。さらに、ＣＰＵ１５は、上述のフィルタ係数ｈｊおよび遅延時間ｔｊの変更と併せて、そのフィルタ係数ｈｊおよび遅延時間ｔｊの変更後のパラメータPECHOが示すインパルス応答の周波数応答を求め、その周波数応答の振幅特性を振幅特性画面６１として表示する。
ｂ．ボタン６２を選択するボタン選択操作が行われた場合
ＣＰＵ１５は、この操作が行われると、ＲＡＭ１６のパラメータPECHOを、設定先選択画面で選択されたＦＩＲフィルタ２９−ｈを設定先とするパラメータPECHO−ｈとする。そして、ＣＰＵ１５は、そのパラメータPECHO−ｈを、設定先のＦＩＲフィルタ２９−ｈを示すパラメータ設定制御信号とともに制御信号Ｉ／Ｆ１１を介して音場支援装置２０へ送信する。音場支援装置２０の制御部３５は、コンピュータ１０から受信したパラメータPECHO−ｈを、パラメータ設定制御信号が示すＦＩＲフィルタ２９−ｈへ設定する。以後、ＦＩＲフィルタ２９−ｈは、マイクロホン２−ｋ（ｋ＝１〜８）の側から与えられる収音信号をこのパラメータPECHO−ｈが示す遅延時間ｔｊ（ｊ＝１，２…ｉ）だけ遅延させて遅延オーディオ信号を発生し、発生した遅延オーディオ信号とパラメータPECHO−ｈが示すフィルタ係数ｈｊ（ｊ＝１，２…ｇ）とを畳み込み演算した演算結果を出力する。
ｃ．ボタン６３を選択するボタン選択操作が行われた場合
ＣＰＵ１５は、この操作が行われると、音場パラメータ設定支援画面をフィルタ特性画面に替えてディスプレイ１３に表示させる。
【００３５】
設定者は、音場パラメータ設定支援画面、設定先選択画面およびフィルタ特性画面において、ＦＩＲフィルタ２９−ｈ（ｈ＝１〜４）のパラメータPECHO−ｈ（ｈ＝１〜４）を以下のように設定する。
まず、音場パラメータ設定画面においてファイル名を選択する。すると、設定先選択画面が表示される。
設定者は、設定先選択画面において、「ＦＩＲ１」のボタン９９−１を選択する操作を行う。すると、フィルタ特性画面が表示される。
設定者は、このフィルタ特性画面内の振幅特性画面６１を参照する。そして、振幅特性画面６１が示す振幅特性と所望の振幅特性との間のずれが大きい場合は、「キャンセル」のボタン６３を選択し、続いて表示される音場パラメータ設定支援画面において別のパラメータPECHOを選択する。振幅特性画面６１が示す振幅特性と所望の振幅特性のずれが比較的小さい場合は、パラメータ調整操作を行い、フィルタ特性画面内のインパルス応答画面６０における矩形barｊを移動させ、移動後の振幅特性画面６１の表示内容を参照する。そして、振幅特性画面６１が示す振幅特性と所望の振幅特性とのずれが解消したことを確認すると、「ＯＫ」のボタン６２を選択し、ＦＩＲフィルタ２９−１へのパラメータPECHO−１の設定を終了する。
設定者は、以上の操作を、ボタン９９−２，９９−３，９９−４を順に選択しながら繰り返すことにより、ＦＩＲフィルタ２９−ｈ（ｈ＝２〜４）へパラメータPECHO−ｈ（ｈ＝２〜４）を設定する。
【００３６】
以上説明した本実施形態において、コンピュータ１０のＣＰＵ１５は、音場パラメータ設定支援画面のいずれかのパラメータPECHOがファイル名選択操作によって選択されると、そのパラメータPECHOを音場パターンデータベースからＲＡＭ１６に読み出し、設定先選択画面をディスプレイ１３に表示させる。そして、その設定先選択画面において設定先のＦＩＲフィルタ２９−ｈが選択されると、フィルタ特性画面を表示させる。このフィルタ特性画面は、インパルス応答画面６０と振幅特性画面６１とを有している。ＣＰＵ１５は、インパルス応答画面６０における矩形barｊを移動させる操作が行われると、ＲＡＭ１６のパラメータPECHOにおける該当のフィルタ係数ｈｊまたは遅延時間ｔｊを、その矩形barｊの移動後の高さまたは時間軸上の位置に応じたものに変更する。設定者は、インパルス応答画面６０における矩形barｊ（ｊ＝１，２…ｉ）を移動させることにより、音場パターンデータベースから選んだパラメータPECHOを、その周波数応答の振幅特性が所望のものとなるように調整することで、最適なパラメータPECHOをＦＩＲフィルタ２９−ｈに設定することができる。
【００３７】
以上、この発明の実施形態について説明したが、この発明には他にも実施形態があり得る。例えば、以下の通りである。
（１）上記第１および第２実施形態において、設定者は、ＰＥＱパラメータ設定画面の第１画面または第３画面から第２画面を表示させ、その第２画面におけるボリューム回転操作を通じてＰＥＱ３２−ｖ（ｖ＝１〜１６），ＰＥＱ３０−ｈ（ｈ＝１〜４）へパラメータPPEQBACK−ｖ（ｖ＝１〜１６），PPEQFOW−ｈ（ｈ＝１〜４）を設定する作業を、ＰＥＱ３２−ｖ（ｖ＝１〜１６），ＰＥＱ３０−ｈ（ｈ＝１〜４）の各々について個別に行った。しかし、設定済みのパラメータの援用を指示するためのボタンを第１画面や第３画面に設け、あるＰＥＱ３０−ｈ，ＰＥＱ３２−ｖに設定したPPEQFOW−ｈ，パラメータPPEQBACK−ｖがその他の未設定のもののデフォルトとして自動設定されるようにしてもよい。
（２）上記第２実施形態において、ＣＰＵ１５は、インパルス応答画面６０内における任意の位置でダブルクリックされたことを検出したときに、その位置の周辺の領域の表示内容を拡大して表示させるようにしてもよい。このようにすれば、その拡大表示された領域内の矩形barｊ（ｊ＝１，２…ｉ）に対するパラメータ調整操作を行い易くなる。また、フィルタ特性画面内に、「エディット」や「パラメータ調整」などの文字を記したボタンを配し、このボタンを選択する操作が検出されたときに、インパルス応答画面６０の拡大画像を別のウィンドウとして表示させ、この拡大画像内の矩形barｊ（ｊ＝１，２…ｉ）に対してパラメータ調整操作を行えるようにしてもよい。
（３）上記第２実施形態において、ＣＰＵ１５は、インパルス応答画面６０と振幅特性画面６１とをフィルタ特性画面として表示させた。しかし、インパルス応答画面６０だけを表示させてもよい。
（４）上記第２実施形態において、ＣＰＵ１５は、インパルス応答画面６０における矩形barｊ（ｊ＝１，２…ｉ）の高さの移動だけを検出し、ＲＡＭ１６のパラメータPECHOにおける該当のフィルタ係数ｈｊを移動後の矩形barｊの高さに応じた大きさのものに変更してもよい。
（５）上記第２実施形態において、ＣＰＵ１５は、、インパルス応答画面６０における矩形barｊ（ｊ＝１，２…ｉ）の時間軸上の位置の移動だけを検出し、ＲＡＭ１６のパラメータPECHOにおける該当の遅延時間ｔｊを移動後の矩形barｊの時間軸上の位置に応じた長さのものに変更してもよい。
（６）上記第１および第２実施形態において、コンピュータ１０のハードディスク１８に記憶されたパラメータ設定プログラムは、ＣＤなどの記憶媒体を経由してコンピュータ１０にインストールされてもよいし、ネットワークを経由してサーバ装置からダウンロードされてもよい。
【図面の簡単な説明】
【００３８】
【図１】この発明の第１実施形態である設定装置を含む音場支援システムの全体構成を示す図である。
【図２】図１の音場支援システムのコンピュータが実行する処理を示すフローチャートである。
【図３】図１の音場支援システムのコンピュータに表示される回路構成案内画面と設定手順案内画面とを示す図である。
【図４】図１の音場支援システムのコンピュータに表示される出力側相対レベルパラメータ設定支援画面を示す図である。
【図５】図１の音場支援システムのコンピュータに表示される入力側相対レベルパラメータ設定支援画面を示す図である。
【図６】図１の音場支援システムのコンピュータに表示される入力側チャネル割当パラメータ設定支援画面を示す図である。
【図７】図１の音場支援システムのコンピュータに表示される出力側チャネル割当パラメータ設定支援画面を示す図である。
【図８】図１の音場支援システムのコンピュータに表示されるＰＥＱパラメータ設定支援画面の第１画面を示す図である。
【図９】図１の音場支援システムのコンピュータに表示されるＰＥＱパラメータ設定支援画面の第２画面を示す図である。
【図１０】図１の音場支援システムのコンピュータに表示されるＰＥＱパラメータ設定支援画面の第３画面を示す図である。
【図１１】この発明の第２実施形態である音場支援システムのコンピュータに表示される設定先選択画面を示す図である。
【図１２】この発明の第２実施形態である音場支援システムのコンピュータに表示されるフィルタ特性画面を示す図である。
【図１３】パラメータ調整操作を示す図である。
【符号の説明】
【００３９】
１…音響空間、２…マイクロホン、３…スピーカ、１０…コンピュータ、１１，２１…制御信号インターフェース、１２，２２…オーディオ信号インターフェース、１３…ディスプレイ、１４…マウス、１５…ＣＰＵ、１６…ＲＡＭ、１７…ＲＯＭ、１８…ハードディスク、２０…音場支援装置、２３，３４…アンプ部、２４，２７，３１…スイッチ、２５…ＥＭＲ、２６，３３…信号採取点、２８…加算器、２９…ＦＩＲフィルタ、３０，３２…ＰＥＱ。
【図１】
0005228670.tif 000002
【図２】
0005228670.tif 000003
【図３】
0005228670.tif 000004
【図４】
0005228670.tif 000005
【図５】
0005228670.tif 000006
【図６】
0005228670.tif 000007
【図７】
0005228670.tif 000008
【図８】
0005228670.tif 000009
【図９】
0005228670.tif 000010
【図１０】
0005228670.tif 000011
【図１１】
0005228670.tif 000012
【図１２】
0005228670.tif 000013
【図１３】
0005228670.tif 000014